(57)【要約】【課題】天井や床に、耐火面材を２枚重ねで取付ける場合に、表面耐火面材と下張り耐火面材の重量の嵩みを抑えることができるとともに、表面耐火面材と下張り耐火面材との合計の厚さを所定の厚さにできる耐火面材の取付け構造を提供する。【解決手段】天井野縁８に、方形板状の複数の下張り耐火面材１０を取付け、これら下張り耐火面材１０によって形成された取付面に、方形板状の複数の表面耐火面材１２を取付ける。この場合、表面耐火面材１２の面積を下張り耐火面材１０より大きくすることによって、表面耐火面材１２どうしの継目Ｔ３，Ｔ４の長さの総延長を、前記下張り耐火面材１０どうしの継目Ｔ１，Ｔ２の長さの総延長より短くなるようにする。また、下張り耐火面材１０と表面耐火面材１２を取付け、表面耐火面材１２を下張り耐火面材１０より薄く形成する。【選択図】        図１
2005009267.tif 000002
【特許請求の範囲】
【請求項１】
天井または床に、耐火面材を取付けてなる耐火面材の取付け構造であって、
前記天井または床に、方形板状の複数の下張り耐火面材が取付けられており、これら下張り耐火面材によって形成された取付面には、方形板状の複数の表面耐火面材が取付けられており、
前記表面耐火面材どうしの継目の長さの総延長は、前記下張り耐火面材どうしの継目の長さの総延長より短くなっており、
前記表面耐火面材は、前記下張り耐火面材より薄く形成されていることを特徴とする耐火面材の取付け構造。
【請求項２】
請求項１に記載の耐火面材の取付け構造において、
前記表面耐火面材は、前記下張り耐火面材より面積が大きいことを特徴とする耐火面材の取付け構造。
【請求項３】
請求項１または２に記載の耐火面材の取付け構造において、
前記下張り耐火面材と表面耐火面材とは、それぞれ長方形板状をなしており、
これら下張り耐火面材と表面耐火面材とは、平面視において、それらの長辺どうしが直交するようにして、配置されていることを特徴とする耐火面材の取付け構造。
【請求項４】
請求項３に記載の耐火面材の取付け構造において、
前記下張り耐火面材の短辺どうしの継目と、前記表面耐火面材の長辺どうしの継目とは、平面視において一致していないことを特徴とする耐火面材の取付け構造。
【請求項５】
請求項３または４に記載の耐火面材の取付け構造において、
前記下張り耐火面材は、短辺どうしの継目が、短辺方向に連続しないようにして配置されていることを特徴とする耐火面材の取付け構造。
【請求項６】
請求項３〜５のいずれか一項に記載の耐火面材の取付け構造において、
前記下張り耐火面材の長辺の長さと、表面耐火面材の短辺の長さとは、それぞれ基準寸法の整数倍となっていることを特徴とする耐火面材の取付け構造。
【発明の詳細な説明】
【０００１】
【発明の属する技術分野】
本発明は、住宅等の建物の天井や床に、石膏ボード等の耐火面材を取付けてなる耐火面材の取付け構造に関する。
【０００２】
【背景の技術】
住宅等の建物の天井には、通常石膏ボード等からなる耐火面材が取付けられており、耐火性をさらに向上させるために、耐火面材を２重に取付ける場合がある。この技術の一例について、例えば特許文献１に記載されている。
すなわち、この特許文献１に記載の技術では、矩形状に形成されている石膏ボードが複数並列されるとともに、該石膏ボードが２枚重ねられている。２枚重ねられる石膏ボードどうしは、ある方向に長辺となるように矩形状に形成されている石膏ボード上に、該方向と直交する方向に長辺となるように矩形状に形成されている石膏ボードが位置するように接着されている。２枚重ねした石膏ボードの双方ともそれぞれその厚さは等しくなっている。
このように石膏ボードを２枚重ねすることによって、耐火性能が向上するのは勿論のこと、石膏ボードの剛性が確保されるとともに、該石膏ボード合板の反りが防止されている。
【０００３】
【特許文献１】
特開２００３−０９６９６５号公報
【０００４】
【発明が解決しようとする課題】
ところで、上述したように、天井に石膏ボード等の耐火面材を２枚重ねで取付ける場合、天井の表面となる表面耐火面材の継目はなるべく少ない方が望ましい。それは、防火性能上、継目がなるべく少ない方が防火上の欠点が少なくなり有効となるからである。また、表面耐火面材の表面には、最終的にクロスを貼り付けるため、耐火面材どうしの継目においては、クロスに継目に沿った筋等が入り易く、この筋等が入らないようにクロスを貼り付けるのに手間がかかるばかりか、継目に沿ってクロスが切れる場合もあり、その補修に手間がかかるからでもある。
表面耐火面材どうしの継目をなるべく少なくするには、表面耐火面材を大きくするなどして、表面耐火面材どうしの継目を少なくすればよいが、表面耐火面材を大きくすると表面耐火面材の重量が嵩み、取り扱い難くなる。
一方、表面耐火面材の重量が嵩まないように薄くすると、この表面耐火面材と下張り耐火面材との合計の厚さが薄くなり、耐火性能が低下する。
そこで、下張り耐火面材の厚さを厚くすれば、表面耐火面材と下張り耐火面材との合計の厚さを所定の厚さにすることができるが、下張り耐火面材の重量が嵩んでしまい、取り扱い難くなる。
【０００５】
本発明は上記事情に鑑みてなされたもので、天井や床に、耐火面材を２枚重ねで取付ける場合に、表面耐火面材と下張り耐火面材の重量の嵩みを抑えることができるとともに、表面耐火面材と下張り耐火面材との合計の厚さを所定の厚さにできる耐火面材の取付け構造を提供することを目的としている。
【０００６】
【課題を解決するための手段】
天井または床に、耐火面材を取付けてなる耐火面材の取付け構造であって、例えば図１〜図９に示すように、
前記天井（天井野縁８）または床に、方形板状の複数の下張り耐火面材１０が取付けられており、これら下張り耐火面材１０によって形成された取付面には、方形板状の複数の表面耐火面材１２が取付けられており、
前記表面耐火面材１２どうしの継目Ｔ３，Ｔ４の長さの総延長は、前記下張り耐火面材１０どうしの継目Ｔ１，Ｔ２の長さの総延長より短くなっており、
前記表面耐火面材１２は、前記下張り耐火面材１０より薄く形成されていることを特徴とする。
【０００７】
ここで、天井または床に耐火面材を２重貼りして取付ける場合、所定の耐火性能を得るために、２枚の耐火面材を所定の厚さにする必要があるが、請求項１に記載の発明では、表面耐火面材１２を薄くした分、下張り耐火面材１０を厚くすることによって前記所定の厚さを確保すればよい。
【０００８】
請求項１に記載の発明によれば、表面耐火面材１２どうしの継目Ｔ３，Ｔ４の長さの総延長が、下張り耐火面材１０どうしの継目Ｔ１，Ｔ２の長さの総延長より短くなっているので、防火性能上、欠点が少なくなり有効となる。
そして、表面耐火面材１２どうしの継目Ｔ３，Ｔ４の長さの総延長が短いので、表面耐火面材１２の大多数は、下張り耐火面材１０より面積が大きくなるが、表面耐火面材１２は、下張り耐火面材１０より薄く形成されているので、表面耐火面材１２の重量の嵩みを抑えることができる。また、表面耐火面材１２を薄くした分、下張り耐火面材１０を厚くすることによって、表面耐火面材１２と下張り耐火面材１０との合計の厚さを所定の厚さにできる。さらに、下張り耐火面材１２の大多数は表面耐火面材１０より面積が小さいので、下張り耐火面材１０の重量の嵩みを抑えることができる。
【０００９】
請求項２に記載の発明は、請求項１に記載の耐火面材の取付け構造において、
前記表面耐火面材１２（例えば表面耐火面材１２ｅ）は、前記下張り耐火面材１０（例えば下張り耐火面材１０ａ〜１０ｃ）より面積が大きいことを特徴とする。
【００１０】
請求項２に記載の発明によれば、表面耐火面材１２は、下張り耐火面材１０より面積が大きいが、表面耐火面材１２は、下張り耐火面材１０より薄く形成されているので、表面耐火面材１２の重量の嵩みを抑えることができる。
【００１１】
請求項３に記載の発明は、請求項１または２に記載の耐火面材の取付け構造において、
前記下張り耐火面材１０と表面耐火面材１２とは、それぞれ長方形板状をなしており、
これら下張り耐火面材１０と表面耐火面材１２とは、平面視において、それらの長辺どうしが直交するようにして、配置されていることを特徴とする。
【００１２】
請求項３に記載の発明によれば、下張り耐火面材１０と表面耐火面材１２とは、それらの長辺どうしが直交しているので、下張り耐火面材１０どうしの継目Ｔ２と表面耐火面材１２どうしの継目Ｔ４とが直交する。このように継目Ｔ２とＴ４が同じ方向を向かずに直交するので、継目が重なっている場合の強度低下を防ぐことができる。
【００１３】
請求項４に記載の発明は、請求項３に記載の耐火面材の取付け構造において、
前記下張り耐火面材１０の短辺どうしの継目Ｔ１と、前記表面耐火面材１２の長辺どうしの継目Ｔ４とは、平面視において一致していないことを特徴とする耐火面材の取付け構造。
【００１４】
請求項４に記載の発明によれば、下張り耐火面材１０の短辺どうしの継目Ｔ１と、表面耐火面材１２の長辺どうしの継目Ｔ４とが一致していないので、表面耐火面材１２の長辺どうしの継目Ｔ４は、下張り耐火面材１０上に位置しており、これによって、表面耐火面材１２どうしには、継目Ｔ４，Ｔ３近傍で段差が生じ難くなる。よって、これら表面耐火面材１２上にクロスを貼り付ける際に、継目Ｔ４，Ｔ３に沿ってクロスに傷や突条が生じたり、クロスが切れるといった不具合を解消できる。
【００１５】
請求項５に記載の発明は、請求項３または４に記載の耐火面材の取付け構造において、
前記下張り耐火面材１０は、短辺どうしの継目Ｔ１が、短辺方向に連続しないようにして配置されていることを特徴とする。
【００１６】
請求項５に記載の発明によれば、下張り耐火面材１０の短辺どうしの継目Ｔ１が、短辺方向に連続していないので、これら下張り耐火面材１０によって形成された取付面は、前記継目Ｔ１が連続している場合に比して、全体的に平坦となる。したがって、この取付面に取付けられた表面耐火面材１２どうしには、継目Ｔ３，Ｔ４近傍で段差が生じ難くなる。よって、これら表面耐火面材１２上にクロスを貼り付ける際に、継目Ｔ３，Ｔ４に沿ってクロスに傷や突条が生じたり、クロスが切れるといった不具合を解消できる。
【００１７】
請求項６に記載の発明は、請求項３〜５のいずれか一項に記載の耐火面材の取付け構造において、
前記下張り耐火面材１０の長辺の長さと、表面耐火面材１２の短辺の長さとは、それぞれ基準寸法の整数倍となっていることを特徴とする。
【００１８】
ここで、前記基準寸法は、建築のあらゆる部分を一定の大きさの倍数関係に整えようとするときの基準となる寸法に設定するのが望ましい。この場合、基準寸法としては、例えば９１０ｍｍ、４５５ｍｍ、１０００ｍｍ、５００ｍｍ等が採用される。
【００１９】
請求項６に記載の発明によれば、継目Ｔ１を介して配置された下張り耐火面材１０の長辺の長さの総延長が、基準寸法の整数倍となり、継目Ｔ４を介して配置された表面耐火面材１２の短辺の長さの総延長が、基準寸法の整数倍となるので、これら下張り耐火面材１０と表面耐火面材１２を取付ける天井の一辺の長さを、基準寸法の整数倍に設定することによって、下張り耐火面材１０と表面耐火面材１２とをそれぞれ隙間無く天井にその一辺方向に割り付けることができる。
【００２０】
【発明の実施の形態】
以下、図面を参照して本発明の実施の形態について説明する。
本実施の形態の耐火面材の取付け構造では、図１〜図５に示すように、格子状に形成された天井野縁に、耐火面材を取付けた場合を例にとって説明する。
【００２１】
図１〜図５において、符号１，１はまぐさを示す。まぐさ１は例えば対向する壁間に水平に架設されたものであり、これらまぐさ１，１間に、３枚の床パネル２…がその長辺部を接するようにして配置されており、これら３枚の床パネル２…の短辺部がまぐさ１，１によって下方から支持されている。
床パネル２は、縦横の框材２ａ，２ｂを矩形枠状に組み立てるとともに、この枠内に補強桟材２ｃを縦横に組み付け、枠の上面に２枚の床板３，４を取付けたものである。
【００２２】
床板３は、石膏ボードで形成された下張り材であり、この下張り材（床板３）には、図６に示すように、４種類の下張り材３ａ，３ｂ，３ｃ，３ｄがある。下張り材３ａは床の両側に配置される帯板状ものである。下張り材３ｂは床の両側において下張り材３ａの延長上に配置される帯板状のもので、短辺の長さが下張り材３ａの短辺の長さと等しく、長辺の長さが下張り材３ａの長辺の長さの約半分なっている。下張り材３ｃは、下張り材３ａ，３ｂより内側に配置される長方形板状ものであり、その長辺の長さは下張り材３ａの長辺の長さと等しくなっており、短辺の長さは下張り材３ａの短辺の長さの約２倍となっている。下張り材３ｄは、下張り材３ｃの延長上に配置される長方形板状のものであり、その長辺の長さは下張り材３ｂの長辺の長さと等しくなっており、短辺の長さは下張り材３ｃの短辺の長さと等しくなっている。
そして、このような下張り材３ａ，３ｂ，３ｃ，３ｄは、その長辺方向に隣接する下張り材どうしの継目３Ｔが、短辺方向において連続しないようにして配置されている。
【００２３】
床板４は、合板で形成された表面材であり、この表面材（床板４）には、図７に示すように、２種類の表面材４ｃ，４ｄがある。表面材４ｃは、前記下張り材３ｃと平面視における形状、大きさが等しいものであり、下張り材３ｃより薄くなっている。また、表面材４ｄは、前記下張り材３ｄと平面視における形状、大きさが等しいものであり、下張り材３ｄより薄くなっている。
そして、このような表面材３ｃ，３ｄは、前記下張り材３ａ〜３ｄを敷き詰めることによって形成された平面に、重ねるようにして敷き詰められる。この場合、表面材３ｃ，３ｄは、その長辺方向に隣接する下張り材どうしの継目４Ｔが、短辺方向において連続しないようにして配置されている。
また、表面材３ｃ，３ｄは、それらの長辺方向に沿う継目５Ｔが、平面視において、前記下張り材３ａ，３ｂ，３ｃ，３ｄの長辺方向に沿う継目６Ｔと一致しないようにして配置されている。
【００２４】
また、まぐさ１，１間には、図１、図２、図４、図５等に示すように、３本の吊梁６…が所定間隔で平行に設けられており、該吊梁６の端部はまぐさ１に固定されている。吊梁６には複数の吊木７の上端部がそれぞれ固定されている。吊木７の下端部は吊梁６の下面より下方に突出している。
また、吊梁６の下方には、天井野縁８が設けられている。この天井野縁８は図３に示すように、複数の野縁材を格子状に組立てたものであり、この天井野縁８を構成する所定の野縁材に前記吊木７の下端部がそれぞれ固定されている。つまり、天井野縁８は、吊木７、吊梁６を介してまぐさ１によって支持されている。
なお、図４および図５において、符号９で示すものは、ロックウール等の断熱材である。また、図１においては、断熱材９は図示を省略している。
【００２５】
また、前記天井野縁８は、まぐさ１の下面より若干上方に位置しており、該天井野縁８の下面には、図１、図４および図５に示すように、方形板状の複数の下張り耐火面材１０が取付けられている。下張り耐火面材１０は強化石膏ボードで形成されたものであり、下張り耐火面材１０には、図８に示すように、４種類の下張り耐火面材１０ａ，１０ｂ，１０ｃ，１０ｄがある。
下張り耐火面材１０ａは天井野縁８の両側に配置される帯板状ものである。下張り耐火面材１０ｂは天井野縁８の両側において下張り耐火面材１０ａの延長上に配置される帯板状のもので、短辺の長さが下張り耐火面材１０ａの短辺の長さと等しく、長辺の長さが下張り耐火面材１０ａの長辺の長さの約半分なっている。下張り耐火面材１０ｃは下張り耐火面材１０ａ，１０ｂよる内側に配置される長方形板状ものであり、その長辺の長さは下張り耐火面材１０ａの長辺の長さと等しくなっており、短辺の長さは下張り耐火面材１０ａの短辺の長さより若干長くなっている。下張り耐火面材１０ｄは、下張り耐火面材１０ｃの延長上に配置される長方形板状のものであり、その長辺の長さは下張り耐火面材１０ｂの長辺の長さと等しくなっており、短辺の長さは下張り耐火面材１０ｃの短辺の長さと等しくなっている。
前記下張り耐火面材１０ａ〜１０ｄのうち、最も面積が大きいものは、下張り耐火面材１０ｃであり、下張り耐火面材１０ａ、１０ｄ、１０ｂはこの順で次第に面積が小さいものとなっている。
【００２６】
そして、このような下張り耐火面材１０ａ，１０ｂ，１０ｃ，１０ｄは、その長辺方向に隣接する下張り耐火面材どうしの継目Ｔ１が、短辺方向において連続しないようにして配置されている。
また、下張り耐火面材１０ａ，１０ｂ，１０ｃ，１０ｄは、その短辺方向に隣接する下張り耐火面材どうしの継目Ｔ２が、長辺方向において連続するようにして配置されている。
さらに、前記継目Ｔ１，Ｔ２は全て、前記天井野縁８の野縁材上に位置するようにして配置され、これによって継目Ｔ１，Ｔ２が補強されるとともに、継目Ｔ１，Ｔ２を境として段差が生じないようになっている。
【００２７】
前記下張り耐火面材１０ａ，１０ｂ，１０ｃ，１０ｄによって形成された取付面には、方形板状の複数の表面耐火面材１２が取付けられている。表面耐火面材１２は強化石膏ボードで形成されたものであり、前記下張り耐火面材１０より薄く形成されている。また、表面耐火面材１２には、図９に示すように、６種類の表面耐火面材１２ａ，１２ｂ，１２ｃ，１２ｄ，１２ｅ，１２ｆがある。
【００２８】
表面耐火面材１２ａは、天井野縁８の長辺に沿って配置される帯板状のものである。表面耐火面材１２ｂは、天井野縁８の長辺に沿って、表面耐火面材１２ａの延長上に配置される帯板状のもので、短辺の長さが表面耐火面材１２ａの短辺の長さと等しく、長辺の長さが表面耐火面材１２ａの長辺の長さより長くなっている。表面耐火面材１２ｃは、天井野縁８の長辺に沿って、表面耐火面材１２ｂの延長上に配置される帯板状のもので、短辺の長さが表面耐火面材１２ｂの短辺の長さと等しく、長辺の長さが表面耐火面材１２ａの長辺の長さより短くなっている。
【００２９】
表面耐火面材１２ｄは、天井野縁８の内側に配置される長方形板状のものでああり、その長辺の長さは表面耐火面材１２ｃの長辺の長さと等しく、短辺の長さは表面耐火面材１２ｃの短辺の長さの２倍となっている。表面耐火面材１２ｅは、天井野縁８の長辺と平行に表面耐火面材１２ｄの延長上に配置される長方形板状のもので、短辺の長さが表面耐火面材１２ｄの短辺の長さと等しく、長辺の長さが表面耐火面材１２ｄの長辺の長さより長くなっている。表面耐火面材１２ｆは、天井野縁８の長辺と平行に表面耐火面材１２ｅの延長上に配置される長方形板状のもので、短辺の長さが表面耐火面材１２ｅの短辺の長さと等しく、長辺の長さが表面耐火面材１２ｅの長辺の長さより短く、かつ、表面耐火面材１２ｄの長辺の長さより短くなっている。
また、表面耐火面材１２ｄの長辺の長さは、表面耐火面材１２ｃの長辺の長さと等しくなっている。さらに、表面耐火面材１２ｅの長辺の長さは、表面耐火面材１２ｂの長辺の長さと等しくなっている。また、表面耐火面材１２ｆの長辺の長さは表面耐火面材１２ａの長辺の長さと等しくなっている。
【００３０】
前記表面耐火面材１２ａ〜１２ｅのうち、最も面積が大きいものは、表面耐火面材１２ｅであり、表面耐火面材１２ｆ、１２ｄ、１２ｂ、１２ａ、１２ｃはこの順で次第に面積が小さいものとなっている。
本実施の形態では天井野縁８に表面耐火面材１２ａ〜１２ｅを適宜割りつけて配置しているが、天井野縁が大きい場合、表面耐火面材１２ｅを長辺方向に並べ、短辺方向に隣接する表面耐火面材１２ｅは、天井野縁８の一つの格子の大きさ分だけ長辺方向にずらして並べる。そして、天井野縁の外周部において、表面耐火面材１２ｅを割り付けられない場合に、表面耐火面材１２ｆ、１２ｄ、１２ｂ、１２ａ、１２ｃを適宜割り付ける。
同様に、本実施の形態では天井野縁８に下張り耐火面材１０ａ〜１０ｄを適宜割りつけて配置しているが、天井野縁が大きい場合、最も面積が大きい下張り耐火面材１０ｃを長辺方向に並べ、短辺方向に隣接する下張り耐火面材１０ｃは、天井野縁８の格子二つ分だけ長辺方向にずらして並べる。そして、天井野縁の外周部において、下張り耐火面材１０ｃを割り付けられない場合に、下張り耐火面材１０ａ、１０ｂ、１０ｄを適宜割り付ける。
【００３１】
本実施の形態では、天井野縁８に取付けられている下張り耐火面材１０ａ〜１０ｄはそれぞれほぼ同数、割り付けられているが、天井野縁が大きい場合、つまり天井が広い場合、天井野縁には最も面積が大きい下張り耐火面材１０ｃが多数取り付けられ、天井野縁の残りの外周部に下張り耐火面材１０ａ、１０ｂ、１０ｄが適宜割り付けられる。
同様に、本実施の形態では、天井野縁８に取付けられている表面耐火面材１２ａ〜１２ｆはそれぞれほぼ同数、割り付けられているが、天井野縁が大きい場合、つまり天井が広い場合、天井野縁には最も面積が大きい表面耐火面材１２ｅが多数取り付けられ、天井野縁の残りの外周部に表面耐火面材１２ｆ、１２ｄ、１２ｂ、１２ａ、１２ｃが適宜割り付けられる。
そして、表面耐火面材の大多数を占める表面耐火面材１２ｅは、下張り耐火面材の大多数を占める下張り耐火面材１０ｃより面積が大きいが、表面耐火面材１２ｅは、下張り耐火面材１０ｃより薄く形成されているので、表面耐火面材１２ｅの重量の嵩みを抑えることができる。
【００３２】
また、このような表面耐火面材１２ａ〜１２ｆは、前記下張り耐火面材１０ａ〜１０ｄを敷き詰めることによって形成された取付面に、重ねるようにして敷き詰められる。
この場合、表面耐火面材１２ａ〜１２ｆは、その長辺方向に隣接する表面耐火面材どうしの継目Ｔ３が、短辺方向において連続しないようにして配置されている。
また、表面耐火面材１２ａ〜１２ｆは、その短辺方向に隣接する表面耐火面材どうしの継目Ｔ４が、長辺方向において連続するようにして配置されている。
さらに、前記継目Ｔ３，Ｔ４は全て、前記天井野縁８の野縁材上に位置するようにして配置され、これによって継目Ｔ３，Ｔ４が補強されるとともに、継目Ｔ３，Ｔ４を境として段差が生じないようになっている。
【００３３】
また、下張り耐火面材１０ａ〜１０ｄと表面耐火面材１２ａ〜１２ｆとは、平面視において、それらの長辺どうしが直交するようにして、配置されている。
このように配置することによって、下張り耐火面材１０ａ〜１０ｄどうしの継目Ｔ２と表面耐火面材１２ａ〜１２ｆどうしの継目Ｔ４とが直交する。このように継目Ｔ２とＴ４が同じ方向を向かずに直交するので、継目が重なっている場合の強度低下を防ぐことができる。
【００３４】
さらに、下張り耐火面材１０ａ〜１０ｄと表面耐火面材１２ａ〜１２ｆとは、下張り耐火面材１０ａ〜１０ｄの短辺どうしの継目Ｔ１と、表面耐火面材１２ａ〜１２ｆの長辺どうしの継目Ｔ４とが、平面視において一致していないようにして、配置されている。
このように配置することによって、表面耐火面材１２ａ〜１２ｆの長辺どうしの継目Ｔ４は、下張り耐火面材１０ａ〜１０ｄ上に位置しており、これによって、表面耐火面材１２ａ〜１２ｆどうしには、継目Ｔ４近傍で段差が生じ難くなる。よって、これら表面耐火面材１２ａ〜１２ｆ上にクロスを貼り付ける際に、継目Ｔ４に沿ってクロスに傷や突条が生じたり、クロスが切れるといった不具合を解消できる。
【００３５】
また、下張り耐火面材１０ａ〜１０ｄの短辺どうしの継目Ｔ１が、短辺方向に連続していないので、これら下張り耐火面材１０ａ〜１０ｄによって形成された取付面は、前記継目Ｔ１が連続している場合に比して、全体的に平坦となる。したがって、この取付面に取付けられた表面耐火面材１２ａ〜１２ｆどうしには、継目Ｔ３，Ｔ４近傍で段差が生じ難くなる。よって、これら表面耐火面材１２ａ〜１２ｆ上にクロスを貼り付ける際に、継目に沿ってクロスに傷や突条が生じたり、クロスが切れるといった不具合を解消できる。
【００３６】
また、表面耐火面材１２ａ〜１２ｆどうしの継目Ｔ３，Ｔ４の長さの総延長は、下張り耐火面材１０ａ〜１０ｄどうしの継目Ｔ１，Ｔ２の長さの総延長より短くなっており、表面耐火面材１２ａ〜１２ｆは、下張り耐火面材１０ａ〜１０ｄより薄く形成されている。
このように表面側にある表面耐火面材１２ａ〜１２ｆどうしの継目Ｔ３，Ｔ４の長さの総延長が短いので、防火性能上、欠点が少なくなり有効となる。
そして、表面耐火面材１２ａ〜１２ｆどうしの継目Ｔ３，Ｔ４の長さの総延長が短いので、表面耐火面材１２ａ〜１２ｆの大多数は、下張り耐火面材１０ａ〜１０ｄより面積が大きくなるが、表面耐火面材１２ａ〜１２ｆは、下張り耐火面材１０ａ〜１０ｄより薄く形成されているので、表面耐火面材１２ａ〜１２ｆの重量の嵩みを抑えることができる。
また、表面耐火面材１２ａ〜１２ｆを薄くした分、下張り耐火面材１０ａ〜１０ｄを厚くすることによって、表面耐火面材１２ａ〜１２ｆと下張り耐火面材１０ａ〜１０ｄとの合計の厚さを所定の厚さにできる。さらに、下張り耐火面材１０ａ〜１０ｄの大多数は表面耐火面材１２ａ〜１２ｆより面積が小さいので、下張り耐火面材１０ａ〜１０ｄの重量の嵩みを抑えることができる。
【００３７】
また、前記下張り耐火面材１０ａ〜１０ｄの長辺の長さと、表面耐火面材１２ａ〜１２ｆの短辺の長さとは、それぞれ基準寸法の整数倍となっていることを特徴とする。
すなわち、基準寸法を例えば４５５ｍｍとすると、下張り耐火面材１０ａの長辺の長さは基準寸法の４倍、下張り耐火面材１０ｂの長辺の長さは基準寸法の２倍、下張り耐火面材１０ｃの長辺の長さは基準寸法の４倍、下張り耐火面材１０ｄの長辺の長さは基準寸法の２倍となっている。
また、表面耐火面材１２ａ，１２ｂの短辺の長さは基準寸法の１倍、表面耐火面材１２ｄ，１２ｅ，１２ｆの短辺の長さは基準寸法の２倍となっている。
【００３８】
したがって、継目Ｔ１を介して配置された下張り耐火面材１０ａ〜１０ｄの長辺の長さの総延長が、基準寸法の整数倍となり、継目Ｔ４を介して配置された表面耐火面材１２ａ〜１２ｆの短辺の長さの総延長が、基準寸法の整数倍となるので、これら下張り耐火面材１０ａ〜１０ｄと表面耐火面材１２ａ〜１２ｆを取付ける天井の一辺の長さを、基準寸法の整数倍に設定することによって、下張り耐火面材１０ａ〜１０ｄと表面耐火面材とをそれぞれ隙間無く天井にその一辺方向に割り付けることができる。
【００３９】
なお、本実施の形態では、本発明に係る耐火面材の取付け構造を、天井の天井野縁８に、耐火面材（下張り耐火面材１０と表面耐火面材１２）を取付けた場合を例にとって説明したが、本発明はこれに限ることなく、床に耐火面材（下張り耐火面材１０と表面耐火面材１２）を取付けてなる耐火面材の取付け構造に適用してもよい。この場合、例えば床パネルの表面に下張り耐火面材と表面耐火面材とを重ねて取付け、さらに、表面耐火面材の上に仕上げようの合板等で形成された床板を取付ける。
【００４０】
【発明の効果】
以上説明したように、請求項１に記載の発明によれば、表面耐火面材どうしの継目の長さの総延長が、前記下張り耐火面材どうしの継目の長さの総延長より短くなっているので、防火性能上、欠点が少なくなり有効となる。
また、表面耐火面材の大多数は下張り耐火面材より面積が大きくなるが、表面耐火面材は、下張り耐火面材より薄く形成されているので、表面耐火面材の重量の嵩みを抑えることができる。
さらに、表面耐火面材を薄くした分、下張り耐火面材を厚くすることによって、表面耐火面材と下張り耐火面材との合計の厚さを所定の厚さにできる。
また、下張り耐火面材の大多数は表面耐火面材より面積が小さいので、下張り耐火面材の重量の嵩みを抑えることができる。
【００４１】
請求項２に記載の発明によれば、下張り耐火面材より面積が大きい表面耐火面材は、下張り耐火面材より薄く形成されているので、表面耐火面材の重量の嵩みを抑えることができる。
【００４２】
請求項３に記載の発明によれば、下張り耐火面材どうしの継目と表面耐火面材どうしの継目とが直交するので、継目が重なっている場合の強度低下を防ぐことができる。
【００４３】
請求項４に記載の発明によれば、下張り耐火面材の短辺どうしの継目と、表面耐火面材の長辺どうしの継目とが一致していないので、表面耐火面材の長辺どうしの継目は、下張り耐火面材の短辺どうしの継目と一致しておらず、下張り耐火面材上に位置するので、表面耐火面材どうしには、継目近傍で段差が生じ難くなる。よって、これら表面耐火面材上にクロスを貼り付ける際に、継目に沿ってクロスに傷や突条が生じたり、クロスが切れるといった不具合を解消できる。
【００４４】
請求項５に記載の発明によれば、下張り耐火面材の短辺どうしの継目が、短辺方向に連続していないので、これら下張り耐火面材によって形成された取付面は全体的に平坦となる。したがって、この取付面に取付けられた表面耐火面材どうしには、継目近傍で段差が生じ難くなるので、これら表面耐火面材上にクロスを貼り付ける際に、継目に沿ってクロスに傷や突条が生じたり、クロスが切れるといった不具合を解消できる。
【００４５】
請求項６に記載の発明によれば、下張り耐火面材と表面耐火面材を取付ける天井の一辺の長さを、基準寸法の整数倍に設定することによって、下張り耐火面材と表面耐火面材とをそれぞれ隙間無く天井にその一辺方向に割り付けることができる。
【図面の簡単な説明】
【図１】本発明の耐火面材の取付け構造の一例を示すもので、その要部の斜視図である。
【図２】同、床の下面図である。
【図３】同、天井野縁の下面図である。
【図４】図２におけるＢ−Ｂ線断面図である。
【図５】図２（図３）におけるＡ−Ａ線断面図である。
【図６】本発明の耐火面材の取付け構造の一例を示すもので、床の下張り材の割り付け状態を示す平面図である。
【図７】同、床の表面材の割り付け状態を示す平面図である。
【図８】同、天井の下張り耐火面材の割り付け状態を示す平面図である。
【図９】同、天井の表面耐火面材の割り付け状態を示す平面図である。
【符号の説明】
８  天井野縁
１０（１０ａ〜１０ｄ）  下張り耐火面材
１２（１２ａ〜１２ｆ）  表面耐火面材
Ｔ１〜Ｔ４  継目
【図１】
2005009267.tif 000003
【図２】
2005009267.tif 000004
【図３】
2005009267.tif 000005
【図４】
2005009267.tif 000006
【図５】
2005009267.tif 000007
【図６】
2005009267.tif 000008
【図７】
2005009267.tif 000009
【図８】
2005009267.tif 000010
【図９】
2005009267.tif 000011